(57)【要約】【課題】  比較的簡単でかつ安価な構成で、転写後の分離・除電手段近傍の記録シートの良好な搬送性と、良好なトナー像を得る。【解決手段】  鋸歯状電極板除電部先端が記録シート搬送面へ突出することのないよう形成し、かつ該鋸歯状電極板除電部先端の一部を切欠き、転写―定着間搬送ガイドとオーバーラップするように形成された第１搬送リブと、鋸歯状電極板除電部先端が記録シート搬送面へ突出することのないよう形成し、かつ該鋸歯状電極板除電部先端を切欠くことがないように形成された第２搬送リブとを配置し、第１及び第２搬送リブの無い、前記鋸歯状電極板除電部先端近傍は空間を設ける。【選択図】  図１
2006106327.tif 000002
【特許請求の範囲】
【請求項１】
トナー像を形成する像担持体と、
像坦持体上に形成したトナー像を記録シート上に転写する転写手段と、
転写手段下流側に配置し、記録シートの除電を行う分離・除電手段と、
転写手段と分離・除電手段との間に配置される電気的な絶縁材からなる絶縁壁と、
分離手段下流側に配置し、定着手段まで、記録シートをガイドする転写―定着間搬送ガイドと、
記録シート上のトナー像を定着する定着手段とを備え、
像担持体中心と転写手段中心とを結ぶ線上の像坦持体法線方向近傍に分離・除電手段である鋸歯状電極板を配置し、
前記鋸歯状電極板除電部先端が記録シート搬送面へ突出することのないよう形成し、かつ該鋸歯状電極板除電部先端の一部を切欠き、転写―定着間搬送ガイドとオーバーラップするように形成し、電気的な絶縁材からなる第１搬送リブと、
前記鋸歯状電極板除電部先端が記録シート搬送面へ突出することのないよう形成し、かつ該鋸歯状電極板除電部先端を切欠くことがないように形成し、電気的な絶縁材からなる第２搬送リブとを配置し、
第１及び第２搬送リブの無い、前記鋸歯状電極板除電部先端近傍は空間が設けられていることを特徴とする画像形成装置。
【請求項２】
前記鋸歯状電極板除電部先端位置が、
像担持体中心と転写手段中心とを結ぶ線上の像坦持体法線に対して±１ｍｍの位置にあることを特徴とする請求項１記載の画像形成装置。
【請求項３】
前記鋸歯状電極板除電部先端位置が、第１、及び第２搬送リブの搬送面より０．５から１ｍｍ低く配置されていることを特徴とする請求項１記載の画像形成装置。
【請求項４】
前記絶縁壁と前記第１搬送リブと前記第２搬送リブが一体で形成さてれいることを特徴とする請求項１記載の画像形成装置。
【発明の詳細な説明】
【技術分野】
【０００１】
本発明は電子写真プロセスを利用したプリンタ、ファクシミリ、複写機等の画像形成装置に関する。
【背景技術】
【０００２】
電子写真プロセスを利用したプリンタ、ファクシミリ、複写機等の画像形成装置では、感光体ドラム等の像坦持体上にトナー画像を形成し、そのトナー画像を記録シートに転写し、トナー画像を転写された記録シートは、定着装置によりトナー画像を定着し、その後、記録シートは排出装置により本体外へ排出される。
【０００３】
前記画像形成装置において、像坦持体からトナー像を記録シートに転写し、像担持体と記録シートを分離するための分離・除電装置には、導電性薄板よりなる鋸歯状電極板が備えられている。
【０００４】
前記分離・除電装置に設けられる鋸歯状電極板は、像坦持体と記録シートが分離する近傍に配置され、トナー像転写後の記録シートが像坦持体からの分離時及び、分離後に記録シート上の余分な電荷を除電している。
【０００５】
近年、画像形成装置の高速化に伴ない、分離・除電装置の除電効率を高めることが望まれている。
【０００６】
記録シートの除電が十分に行われないと、静電吸着により像坦持体へ記録シートが巻きつき、ＪＡＭが発生したり、余分な電荷により記録シート上のトナー像が乱れ不良画像が発生する。そのため、鋸歯状電極板は、記録シートを均一かつ除電効率を高めるために、鋸歯状電極板の除電部近傍に空間を設けたり、鋸歯状電極板を記録シートに近づける必要があり、図７のように像担持体中心と転写ローラ中心とを結ぶ線上の感光ドラムの法線Ｎ方向近傍、好ましくはこの法線に対して±１ｍｍの位置に、鋸歯状電極板２２を配置している。
【０００７】
前記法線近傍に鋸歯状電極板を配置すると、搬送された記録シートと鋸歯状電極板とが引掛り、記録シート上のトナー画像が乱れたり、記録シートに傷をつけたり、ジャムを発生させる場合がある。
【０００８】
特に記録シート先端や封筒のフラップ部は引掛りやすい。
【０００９】
このような課題を解決するために、従来から下記のような技術が考案されている。
【００１０】
特開平１０−１４２９５０号公報記載の技術によれば、記録シートの移動に伴い除電部材を除電位置から退避位置に移動する移動部材を有することを特徴するものである。
【００１１】
特開平１１−１５２８８号公報記載の技術によれば、記録シートが転写回転部材を通過する時に転写回転部材に連動して、除電部材が除電位置から退避位置に移動することを特徴とするものである。
【００１２】
特開２００３−１５４２９号公報記載の技術によれば、除電部材が垂直方向に可変可能であることを特徴とするものである。
【００１３】
また、図８及び図９のように一部鋸歯状電極板を切り欠き、記録シートが鋸歯状電極板の除電部に引掛ることのないよう搬送リブを備えたものがある。
【特許文献１】特開平１０−１４２９５０号公報
【特許文献２】特開平１１−１５２８８号公報
【特許文献３】特開２００３−１５４２９号公報
【発明の開示】
【発明が解決しようとする課題】
【００１４】
前記した先行技術は、鋸歯状電極板への記録シートの引掛りを防止に対して有効であるが次の点で改良／改善されることが望まれる。
【００１５】
特開平１０−１４２９５０号公報記載の技術は記録シートに連動して、除電部材を除伝位置から退避位置に移動する機構が必要であり、装置が複雑化し、かつ高価になる。また、通紙する記録シートに連動して除電部材が動作するため、画像形成装置が高速化すればするほど、除電部材の動作制御が難しくなる。
【００１６】
また、除電部材退避時の転写部材下流側の搬送ガイドへの突入、引掛り対策が望まれる。
【００１７】
特開平１１−１５２８８号公報記載の技術は転写回転部材に連動して、除電部材が除電位置から退避位置に移動する機構が必要であり、装置が複雑化し、かつ高価になる。
【００１８】
また、除電部材退避時の転写部材下流側の搬送ガイドへの突入、引掛り対策が望まれる。
【００１９】
特開２００３−１５４２９号公報記載の技術は除電部材が垂直方向に可変可能な機構及び制御が必要であり、装置が装置が複雑化し、かつ高価になる。
【００２０】
また、除電部材退避時の転写部材下流側の搬送ガイドへの突入、引掛り対策が望まれる。
【００２１】
図８、図９のように一部鋸歯状電極板を切り欠き、記録シートが鋸歯状電極板の除電部に引掛ることのないよう搬送リブを備えた場合、記録シートと鋸歯状電極板との引掛りを防止するために、図４拡大図に示す搬送リブ高さと鋸歯状電極板の高さの差ｈを適切な大きさにする必要がある。像担持体側に近づく方向に搬送リブ高さを高くし、鋸歯状電極板との差ｈを確保しようとすると、記録シートと搬送リブが強く摺擦するため、未定着トナーが飛散しリブ跡が発生する。また、像坦持体から離れる方向に鋸歯状電極板移動させ、搬送リブ高さとの差ｈを確保しようとすると、記録シートの除電が不十分になり、静電吸着により像坦持体へ記録シートが巻きつき、ＪＡＭが発生したり、余分な電荷により記録シート上のトナー像が乱れる。
【００２２】
また、搬送リブ高さと鋸歯状電極板との差ｈを小さくするために、図１０、図１１のように、搬送リブの数を多くし、記録シートとの引掛りを防止する場合、鋸歯状電極板の切欠き部が多くなり、鋸歯状電極板の除電部が少なくなってしまい、除電能力が低下し、静電吸着により像坦持体へ記録シートが巻きつき、ＪＡＭが発生したり、余分な電荷により記録シート上のトナー像が乱れる。
【００２３】
本発明は上記課題を改良／改善するために、鋸歯状電極板除電部先端が記録シート搬送面へ突出することのないよう形成し、かつ該鋸歯状電極板除電部先端の一部を切欠き、転写―定着間搬送ガイドとオーバーラップするように形成された第１搬送リブと鋸歯状電極板除電部先端が記録シート搬送面へ突出することのないよう形成し、かつ該鋸歯状電極板除電部先端を切欠くことがないように形成された第２搬送リブとを配置し、第１及び第２搬送リブの無い、前記鋸歯状電極板除電部先端近傍は空間を設けることにより、比較的簡単でかつ安価な構成で、安定した記録シートの搬送性と、良好なトナー像を得られる画像形成装置を提供することを目的とする。
【課題を解決するための手段】
【００２４】
請求項１記載の発明は、トナー像を形成する像担持体と像坦持体上に形成したトナー像を記録シート上に転写する転写手段と転写手段下流側に配置し、記録シートの除電を行う分離・除電手段と、転写手段と分離・除電手段との間に配置される電気的な絶縁材からなる絶縁壁と分離手段下流側に配置し、定着手段まで、記録シートをガイドする転写―定着間搬送ガイドと、記録シート上のトナー像を定着する定着手段とを備え、像担持体中心と転写手段中心とを結ぶ線上の像坦持体法線方向近傍に分離・除電手段である鋸歯状電極板を配置し、前記鋸歯状電極板除電部先端が記録シート搬送面へ突出することのないよう形成し、かつ該鋸歯状電極板除電部先端の一部を切欠き、転写―定着間搬送ガイドとオーバーラップするように形成し、電気的な絶縁材からなる第１搬送リブと前記鋸歯状電極板除電部先端が記録シート搬送面へ突出することのないよう形成し、かつ該鋸歯状電極板除電部先端を切欠くことがないように形成し、電気的な絶縁材からなる第２搬送リブとを配置し、第１及び第２搬送リブの無い、前記鋸歯状電極板除電部先端近傍は空間が設けられていることを特徴とする。
【００２５】
請求項２記載の発明は、鋸歯状電極板除電部先端位置が、像担持体中心と転写手段中心とを結ぶ線上の像坦持体法線に対して±１ｍｍの位置にあることを特徴とする。
【００２６】
請求項３記載の発明は、鋸歯状電極板除電部先端位置が、第１、及び第２搬送リブの搬送面より０．５から１ｍｍ低く配置されていることを特徴とする。
【００２７】
請求項４記載の発明は、前記絶縁壁と前記第１搬送リブと前記第２搬送リブが一体で形成さてれいることを特徴とする。
【発明の効果】
【００２８】
以上説明したように、本発明によれば、鋸歯状電極板除電部先端が記録シート搬送面へ突出することのないよう形成し、かつ該鋸歯状電極板除電部先端の一部を切欠き、転写―定着間搬送ガイドとオーバーラップするように形成された第１搬送リブと鋸歯状電極板除電部先端が記録シート搬送面へ突出することのないよう形成し、かつ該鋸歯状電極板除電部先端を切欠くことがないように形成された第２搬送リブとを配置し、第１及び第２搬送リブの無い、前記鋸歯状電極板除電部先端近傍は空間が設けることにより、比較的簡単でかつ安価な構成で、良好な記録シートの搬送性と、良好なトナー像を得られる画像形成装置を提供することができる。
【発明を実施するための最良の形態】
【００２９】
（実施例１）
本発明に係る画像形成装置の第１の実施例について図を用いて説明する。
【００３０】
図３は本実施例に係る画像形成装置を示す概略断面図である。
【００３１】
図３に示すように、本実施例における画像形成装置としてレーザビームプリンタ１について説明する。レーザビームプリンタ１は記録シートＰを積載する給送カセット２と、プロセスカートリッジの着脱及びジャム処理を行うためのプロセスカートリッジ着脱カバー３と、記録シートＰを給送する給送ローラ４と、記録シートＰを１枚ずつ分離させる分離パッド５と、給送した記録シートＰをレーザビームプリンタ本体内に搬送する中間搬送手段である中間搬送ローラ６と、これに対向する中間搬送コロ６ａと、搬送手段であるレジストレーションローラ７と、これに対向するレジストレーションコロ７aと記録シートのスキュー補正手段であるレジストレーションシャッタ８と、レジストレーションローラ７とレジストレーションコロ７ａ及びレジストレーションシャッタ８からなるレジストレーションローラユニットを保護するレジストレーションカバー９と、レジストレーションローラユニットから送られてきた記録シートＰの先端及び後端を検知する検知手段であるフォトインタラプタ２０と、レジストレーションセンサレバー２１と、レジストレーションローラユニットから送られてきた記録シートＰを転写部へ案内する転写前上ガイド１０及び転写前下ガイド１９と、感光ドラム１１ａを含むプロセスカートリッジ１１と、記録シートＰに画像を転写する転写手段である転写ローラ１２と、転写後の記録シートを分離・除電する鋸歯状電極板２２と、分離・除電された記録シートを定着ユニット部へガイドする転写―定着搬送ガイド２５と、レーザスキャナーユニット１３と、定着ヒータを内蔵する定着ヒータユニット１４と、定着加圧ローラ１５と、定着後の記録シートＰを搬送する排出搬送ローラ１６及び排出搬送コロ１６ａと、記録シートＰをレーザビームプリンタ１本体外に排出する排出ローラ１７及び排出コロ１７ａと、シート排出積載部１８で構成されている。
【００３２】
給送カセット２には複数枚の記録シートＰが積載されるようになっており、プリント命令を受けると、給送ローラ４と分離パッド５によって、給送カセット２内の記録シートＰを１枚ずつ分離給送する。
【００３３】
給送された記録シートＰは中間搬送ローラ６と中間搬送コロ６ａに送られる。さらに中間搬送ローラ６で搬送された記録シートＰはシート搬送路を通り、レジストレーションユニット内にあるレジストレーションシャッタ８のシート当接部８ａに突き当てられる。
【００３４】
記録シートＰはシート当接部８ａに当接しながらレジストレーションシャッタ８を退避させる方向に回動させ、レジストレーションローラ７とレジストレーションコロ７ａのニップへ搬送されることによりスキュー補正を行う。
【００３５】
スキュー補正後の記録シートＰはレジストレーションセンサレバー２１に突き当てられる。記録シートＰはレジストレーションセンサレバー２１に当接しながらレジストレーションセンサレバー２１を退避させる方向に回動させる。
【００３６】
レジストレーションセンサレバー２１を回動させた記録シートＰは、転写前上ガイド１０及び、転写前下ガイド１９で形成されるシート搬送路を搬送され、転写ローラ１２と対向する感光ドラム１１ａのニップに搬送される。
【００３７】
プリント命令とともにレーザスキャナーユニット１３からレーザ光Ｌを感光ドラム１１ａ上に照射し、感光ドラム１１ａ上にトナー画像が形成される。感光ドラム１１ａ上に形成されたトナー画像は、感光ドラム１１ａと転写ローラ１２とのニップで記録シートＰに転写される。
【００３８】
転写された記録シートＰは鋸歯状電極板２２により分離・除電される。
【００３９】
鋸歯状電極板２２は図７に示すように、感光ドラム中心と転写ローラ中心を結ぶ線上の感光ドラムの法線Ｎ方向近傍に配置され、絶縁材からなる鋸歯状電極板取り付け面２６に沿って配置されている。
【００４０】
次に、トナー画像が転写された記録シートＰは定着加圧ローラ１５と定着ヒータユニット１４で構成される定着ユニットに送られ、加熱及び加圧される。これによって記録シートＰにトナー画像が定着される。トナー画像が定着された記録シートＰは、排出搬送ローラ１６及び排出搬送コロ１６ａによって排出ガイドに沿って搬送され、排出ローラ１７及び排出コロ１７ａによってシート排出積載部１８に排出、積載される。
【００４１】
次に図１、図２、図４、図５、図６を用いて本発明の分離・除電装置について説明する。
【００４２】
図１は分離・除電装置の斜視図、図２は通紙方向下流側から見た分離・除電装置の背面図であり、鋸歯状電極板２２、受け渡し部のある第１搬送リブ２３、受け渡し部のない第２搬送リブ２４、を示しており、受け渡し部のある第１搬送リブ２３部は鋸歯状電極板２２の除電部を一部切欠き、受け渡し部ない第２搬送リブ２３部は鋸歯状電極板２２の除電部を切欠いていない。
【００４３】
図４は受け渡し部のある第１搬送リブ２３部の略式断面図である。
【００４４】
第１搬送リブ２３は記録シートを持ち上げる方向へ角度を設け、搬送されてきた記録シートＰ先端と前記除電部とが引掛らないように、第１搬送リブ面からの距離ｈ分低く除電部先端を配置し、かつ、転写―定着搬送ガイド２５へ記録シートＳ先端が引掛らないように配置している。第１搬送リブ面からの距離ｈは０．５〜１ｍｍに設定する。
【００４５】
特に記録シート先端が転写ローラ側にカールしている場合、前記転写―定着間の搬送ガイド上流部へ引掛る場合があるため、転写―定着搬送ガイド２５と第１搬送リブはオーバーラップしている。
【００４６】
図５は受け渡し部のない第２搬送リブ２４部の略式断面図である。
【００４７】
第１搬送リブと同様に記録シートを持ち上げる方向へ角度を設け、搬送されてきた記録シートＰ先端と前記除電部とが引掛らないように、第２搬送リブ面からの距離ｉ分低く除電部先端を配置している。第２搬送リブ面からの距離ｉは０．５〜１ｍｍに設定する。
【００４８】
図６は搬送リブが無い部分の略式断面図であり、鋸歯状電極板２２の除電部先端に空間を広く確保し除電効率を高めている。
【００４９】
転写された記録シートＰ先端は図４、図５のように、第１搬送リブ面２３ａ、第２搬送リブ面２４ａに当接し、第１搬送リブ面２３ａ、第２搬送リブ面２４ａに沿って搬送される。その後、記録シートＰ先端は第１搬送リブの下流側の搬送面２３ｂに沿って搬送され、転写―定着搬送ガイド２５に搬送される。受け渡し部のある第１搬送リブ２３は、転写―定着搬送ガイド２５とオーバーラップしているため、記録シートＰ先端が転写―定着搬送ガイド２５に引掛ることはない。
【００５０】
以上のように、本発明の画像形成装置において、転写ローラ下流側に配置された分離・除電手段部である、鋸歯状電極板の除電部への引掛り及び転写―定着搬送ガイドへの記録シート先端の引掛りを防止する受け渡し部ある第１搬送リブと、鋸歯状電極板を切り欠くことなく除電針への引掛りを防止する第２搬送リブを備えることにより、感光ドラム中心と転写ローラ中心を結ぶ線上の感光ドラム法線方向近傍に鋸歯状電極板を配置可能になり、分離時及び、分離後の記録シート上の余分な電荷を除電し、良好な記録シートの搬送及び良粉トナー像を得ることが可能になる。
【図面の簡単な説明】
【００５１】
【図１】本発明の実施形態を示す分離・除電手段部の斜視図である。
【図２】本発明の実施形態を示す分離・除電手段部の背面図である。
【図３】本発明の実施形態を示す概略断面図である。
【図４】本発明の実施形態を示す第１搬送リブ部の概略断面図である。
【図５】本発明の実施形態を示す第２搬送リブ部の概略断面図である。
【図６】本発明の実施形態を示す除電部先端近傍の空間を示す概略断面図である。
【図７】ドラム−転写ローラ中心線上の法線と鋸歯状電極板位置を示す概略断面図である。
【図８】従来例を示す分離・除電手段部の斜視図である。
【図９】従来例を示す分離・除電手段部の背面図である。
【図１０】従来例を示す分離・除電手段部の斜視図である。
【図１１】従来例を示す分離・除電手段部の背面図である。
【符号の説明】
【００５２】
１  レーザビームプリンタ
２  給送カセット
３  プロセスカートリッジ着脱カバー
４  給送ローラ
５  分離パッド
６  中間搬送ローラ
６ａ  中間搬送コロ
７  レジストレーションローラ
７ａ  レジストレーションコロ
８  レジストレーションシャッタ
８ａ  シート当接部
８ｂ  樹脂部品
８ｃ  板金
８ｄ  曲げ部
９  レジストレーションカバー
１０  転写前上ガイド
１１  プロセスカートリッジ
１１ａ  感光ドラム
１２  転写ローラ
１３  レーザースキャナユニット
１４  定着ヒータユニット
１５  定着加圧ローラ
１６  排出搬送ローラ
１６ａ  排出搬送コロ
１７  排出ローラ
１７ａ  排出コロ
１８  シート排出積載部
１９  転写前上ガイド
２０  フォトインタラプタ
２１  レジストレーションセンサレバー
２２  鋸歯状電極板
２３  第１搬送リブ
２３a  第１搬送リブの搬送面
２３b  第１搬送リブの搬送面
２４  第２搬送リブ
２４a  第２搬送リブの搬送面
２５  転写−定着搬送ガイド
２６  鋸歯状電極板取り付け面
Ｇ  グリス
Ｌ  レーザ光
Ｎ  感光ドラム中心と転写ローラ中心を結ぶ線上の感光ドラムの法線
Ｐ  記録シート
【図１】
2006106327.tif 000003
【図２】
2006106327.tif 000004
【図３】
2006106327.tif 000005
【図４】
2006106327.tif 000006
【図５】
2006106327.tif 000007
【図６】
2006106327.tif 000008
【図７】
2006106327.tif 000009
【図８】
2006106327.tif 000010
【図９】
2006106327.tif 000011
【図１０】
2006106327.tif 000012
【図１１】
2006106327.tif 000013